Podtech/llm-jp-corpus-v4-ja_patent huggingface dataset:
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
印刷データの印刷を行う複数の画像処理装置および、前記印刷データの送信を行う情報処理装置と通信可能に接続された印刷管理装置であって、
前記複数の画像処理装置のうちどの画像形成装置で印刷データの印刷が行われたかの履歴である印刷履歴を管理する印刷履歴管理手段と、
前記情報処理装置より送信された印刷先が決定されていない印刷データに含まれる印刷元を示す情報を取得する印刷元情報取得手段と、
前記印刷元情報取得手段により取得した前記印刷データに含まれる印刷元を示す情報に対応する１つ以上の画像処理装置を、前記印刷履歴管理手段にて管理される印刷履歴を用いて決定する画像処理装置決定手段と、
前記画像処理装置決定手段により決定された前記１つ以上の画像処理装置のステータスを取得するステータス取得手段と、
前記ステータス取得手段により取得された前記１つ以上の画像処理装置のステータスを、前記印刷先が決定されていない印刷データの印刷指示を行った印刷元に通知する通知手段と、
を有することを特徴とする印刷管理装置。
【請求項２】
前記決定手段により決定される画像処理装置は、前記印刷元の利用実績がある画像処理装置であることを特徴とする請求項１記載の印刷管理装置。
【請求項３】
前記印刷履歴管理手段は、印刷データの印刷が行われた印刷日時を含む印刷履歴を管理しており、
前記決定手段により決定される画像処理装置は、前記印刷元の利用実績があり、かつ最近利用した画像処理装置であることを特徴とする請求項１または２に記載の印刷管理装置。
【請求項４】
前記印刷元とは、前記印刷データの印刷を行った情報処理装置、または印刷を行ったユーザから特定されることを特徴とする請求項１乃至３のいずれか１項に記載の印刷管理装置。
【請求項５】
前記ステータス取得手段は、前記画像処理装置に対応するプリンタドライバで取得可能なステータスと、取得不可なステータスを取得するものであることを特徴とする請求項１乃至４のいずれか１項に記載の印刷管理装置。
【請求項６】
前記取得可能なステータスとは、前記画像処理装置に対応する印刷機能であり、前記取得不可なステータスとは、前記画像処理装置に対応する、少なくともファクシミリ機能またはスキャナ機能の１つ以上に対応するステータスであることを特徴とする請求項５に記載の印刷管理装置。
【請求項７】
印刷データの印刷を行う複数の画像処理装置および、前記印刷データの送信を行う情報処理装置と通信可能に接続された印刷管理システムであって、
前記複数の画像処理装置のうちどの画像形成装置で印刷データの印刷が行われたかの履歴である印刷履歴を管理する印刷履歴管理手段と、
前記情報処理装置より送信された印刷先が決定されていない印刷データに含まれる印刷元を示す情報を取得する印刷元情報取得手段と、
前記印刷元情報取得手段により取得した前記印刷データに含まれる印刷元を示す情報に対応する１つ以上の画像処理装置を、前記印刷履歴管理手段にて管理される印刷履歴を用いて決定する画像処理装置決定手段と、
前記画像処理装置決定手段により決定された前記１つ以上の画像処理装置のステータスを取得するステータス取得手段と、
前記ステータス取得手段により取得された前記１つ以上の画像処理装置のステータスを、前記印刷先が決定されていない印刷データの印刷指示を行った印刷元に通知する通知手段と、
を有することを特徴とする印刷管理システム。
【請求項８】
印刷データの印刷を行う複数の画像処理装置および、前記印刷データの送信を行う情報処理装置と通信可能に接続され、前記複数の画像処理装置のうちどの画像形成装置で印刷データの印刷が行われたかの履歴である印刷履歴を管理する印刷履歴管理手段を有する印刷管理装置の制御方法であって、
前記情報処理装置より送信された印刷先が決定されていない印刷データに含まれる印刷元を示す情報を取得する印刷元情報取得ステップと、
前記印刷元情報取得ステップにより取得した前記印刷データに含まれる印刷元を示す情報に対応する１つ以上の画像処理装置を、前記印刷履歴管理手段にて管理される印刷履歴を用いて決定する画像処理装置決定ステップと、
前記画像処理装置決定ステップにより決定された前記１つ以上の画像処理装置のステータスを取得するステータス取得ステップと、
前記ステータス取得ステップにより取得された前記１つ以上の画像処理装置のステータスを、前記印刷先が決定されていない印刷データの印刷指示を行った印刷元に通知する通知ステップと、
を有することを特徴とする印刷管理装置。
【請求項９】
印刷データの印刷を行う複数の画像処理装置および、前記印刷データの送信を行う情報処理装置と通信可能に接続され、前記複数の画像処理装置のうちどの画像形成装置で印刷データの印刷が行われたかの履歴である印刷履歴を管理する印刷履歴管理手段を有する印刷管理装置を、
前記情報処理装置より送信された印刷先が決定されていない印刷データに含まれる印刷元を示す情報を取得する印刷元情報取得手段と、
前記印刷元情報取得手段により取得した前記印刷データに含まれる印刷元を示す情報に対応する１つ以上の画像処理装置を、前記印刷履歴管理手段にて管理される印刷履歴を用いて決定する画像処理装置決定手段と、
前記画像処理装置決定手段により決定された前記１つ以上の画像処理装置のステータスを取得するステータス取得手段と、
前記ステータス取得手段により取得された前記１つ以上の画像処理装置のステータスを、前記印刷先が決定されていない印刷データの印刷指示を行った印刷元に通知する通知手段と、
を有することを特徴とする印刷管理装置として機能させるためのプログラム。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
印刷処理を実行可能な画像形成装置であって、
前記画像形成装置のファームウェアを更新する更新手段と、
前記画像形成装置のファームウェアを更新することで修正される修正内容を特定するための内容情報を、外部装置から取得する取得手段と、
前記取得手段により取得された前記内容情報に基づいて、前記画像形成装置のファームウェアを更新するか否かを決定する決定手段と、
を有し、
前記決定手段は、前記内容情報により特定される修正内容が、前記画像形成装置に接続されていないオプションユニットの不具合の修正である場合、前記画像形成装置のファームウェアを更新しないと決定することを特徴とする画像形成装置。
【請求項２】
前記内容情報によって特定される修正内容が、前記画像形成装置に接続されているオプションユニットの不具合の修正である場合、前記決定手段は、前記画像形成装置のファームウェアを更新すると決定することを特徴とする請求項１に記載の画像形成装置。
【請求項３】
前記取得手段は、前記決定手段により前記画像形成装置のファームウェアを更新すると決定された場合、更新ファイルを前記外部装置から取得し、
前記更新手段は、前記取得手段により取得された前記更新ファイルに基づいて、前記画像形成装置のファームウェアを更新することを特徴とする請求項１又は２に記載の画像形成装置。
【請求項４】
前記取得手段は、ユーザに指定されたアップデート時刻に到達した場合、前記内容情報を前記外部装置から取得することを特徴とする請求項１乃至３の何れか１項に記載の画像形成装置。
【請求項５】
前記オプションユニットは、前記印刷処理が実行されたシートにフィニッシング処理を実行するフィニッシャ装置であることを特徴とする請求項１乃至４の何れか１項に記載の画像形成装置。
【請求項６】
前記フィニッシング処理は、ステイプル処理、パンチ処理、中綴じ製本処理の何れかであることを特徴とする請求項５に記載の画像形成装置。
【請求項７】
前記オプションユニットは、イメージ解析ボードであることを特徴とする請求項１乃至４の何れか１項に記載の画像形成装置。
【請求項８】
前記オプションユニットは、ＦＡＸユニットであることを特徴とする請求項１乃至４の何れか１項に記載の画像形成装置。
【請求項９】
前記外部装置は、ネットワーク上のサーバであることを特徴とする請求項１乃至８の何れか１項に記載の画像形成装置。
【請求項１０】
印刷処理を実行可能な画像形成装置が実行する情報処理方法であって、
前記画像形成装置のファームウェアを更新する更新ステップと、
前記画像形成装置のファームウェアを更新することで修正される修正内容を特定するための内容情報を、外部装置から取得する取得ステップと、
前記取得ステップで取得された前記内容情報に基づいて、前記画像形成装置のファームウェアを更新するか否かを決定する決定ステップと、
を含み、
前記決定ステップでは、前記内容情報により特定される修正内容が、前記画像形成装置に接続されていないオプションユニットの不具合の修正である場合、前記画像形成装置のファームウェアを更新しないと決定することを特徴とする情報処理方法。
【請求項１１】
印刷処理を実行可能なコンピュータに、
前記コンピュータのファームウェアを更新する更新ステップと、
前記コンピュータのファームウェアを更新することで修正される修正内容を特定するための内容情報を、外部装置から取得する取得ステップと、
前記取得ステップで取得された前記内容情報に基づいて、前記コンピュータのファームウェアを更新するか否かを決定する決定ステップと、
を実行させ、
前記決定ステップでは、前記内容情報により特定される修正内容が、前記コンピュータに接続されていないオプションユニットの不具合の修正である場合、前記コンピュータのファームウェアを更新しないと決定することを特徴とするプログラム。
【手続補正２】
【補正対象書類名】明細書
【補正対象項目名】発明の名称
【補正方法】変更
【補正の内容】
【発明の名称】画像形成装置、情報処理方法及びプログラム
【手続補正３】
【補正対象書類名】明細書
【補正対象項目名】０００１
【補正方法】変更
【補正の内容】
【０００１】
本発明は、画像形成装置、情報処理方法及びプログラムに関する。
【手続補正４】
【補正対象書類名】明細書
【補正対象項目名】０００８
【補正方法】変更
【補正の内容】
【０００８】
そこで、本発明の画像形成装置は、印刷処理を実行可能な画像形成装置であって、前記画像形成装置のファームウェアを更新する更新手段と、前記画像形成装置のファームウェアを更新することで修正される修正内容を特定するための内容情報を、外部装置から取得する取得手段と、前記取得手段により取得された前記内容情報に基づいて、前記画像形成装置のファームウェアを更新するか否かを決定する決定手段と、を有し、前記決定手段は、前記内容情報により特定される修正内容が、前記画像形成装置に接続されていないオプションユニットの不具合の修正である場合、前記画像形成装置のファームウェアを更新しないと決定することを特徴とする。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
アプリケーションを実行するアプリケーション実行手段（２１）と、
前記アプリケーション実行手段が実行する前記アプリケーションに所定の機能を提供するサブアプリケーションを、前記アプリケーション実行手段からの実行要求に応じて実行するサブアプリケーション実行手段（２２）と、
前記サブアプリケーション実行手段が前記サブアプリケーションを実行している間は、当該サブアプリケーションが実行中であることを示す実行画面に代えて、当該サブアプリケーションが実行中であることを隠す隠し画面を表示する隠し画面表示手段（２３）と、
を備え、
前記アプリケーション実行手段は、前記アプリケーションとして、目的地を選択する目的地選択アプリケーションを実行し、
前記サブアプリケーション実行手段は、前記サブアプリケーションとして、前記目的地選択アプリケーションによって選択された前記目的地の位置情報を外部のナビゲーション装置に提供する位置情報提供アプリケーションを実行する情報処理端末。
【請求項２】
前記隠し画面表示手段は、前記隠し画面として、
透明な画面、単一色の画面、所定の柄の画面、前記アプリケーション実行手段が指定する画面のうち何れか１つを表示する請求項１に記載の情報処理端末。
【請求項３】
前記サブアプリケーション実行手段が前記アプリケーション実行手段から前記実行要求を受けると、前記アプリケーション実行手段が実行している前記アプリケーションが予め設定された認証アプリケーションであるか否かを判定する認証手段（２４）を備え、
前記隠し画面表示手段は、前記アプリケーション実行手段が実行している前記アプリケーションが前記認証アプリケーションである場合に前記隠し画面を表示する請求項１または２に記載の情報処理端末。
【手続補正２】
【補正対象書類名】明細書
【補正対象項目名】０００７
【補正方法】変更
【補正の内容】
【０００７】
本発明に係る情報処理端末によれば、アプリケーション実行手段は、あるアプリケーションをメインアプリケーションとして実行する。サブアプリケーション実行手段は、アプリケーション実行手段が実行するメインアプリケーションに所定の機能を提供するサブアプリケーションを、アプリケーション実行手段からの実行要求に応じて実行する。そして、隠し画面表示手段は、サブアプリケーション実行手段がサブアプリケーションを実行している間は、当該サブアプリケーションが実行中であることを示す実行画面に代えて、当該サブアプリケーションが実行中であることを隠す隠し画面を表示する。そして、前記アプリケーション実行手段は、前記アプリケーションとして、目的地を選択する目的地選択アプリケーションを実行する。また、前記サブアプリケーション実行手段は、前記サブアプリケーションとして、前記目的地選択アプリケーションによって選択された前記目的地の位置情報を外部のナビゲーション装置に提供する位置情報提供アプリケーションを実行する。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
基板上に、複数の制御信号線と複数のデータ信号線とが交差する位置にマトリクス状に配置された複数の画素と、
前記複数の画素にそれぞれ対応して配置され、前記データ信号線から供給されるデータ電圧の印加を受ける複数の画素回路と、を備え、
前記画素回路の各々は、
前記制御信号線から供給される制御信号に応じて、前記画素に供給される前記データ電圧の書き込みを制御する薄膜トランジスタと、
前記データ電圧を保持するコンデンサと、を含み、
前記コンデンサは、
前記基板上に所定の高さを有して配置された凸部と、
前記凸部上に配置された第１の電極と、
前記第１の電極上に配置された絶縁膜と、
前記絶縁膜上に配置された第２の電極と、
を有することを特徴とする表示装置。
【請求項２】
前記薄膜トランジスタは、半導体層と、ゲート絶縁膜と、ゲート電極層とが積層された構造を含み、
前記コンデンサの、前記第１の電極は、前記半導体層であり、前記絶縁膜は、前記ゲート絶縁膜であり、前記第２の電極は、前記ゲート電極層であることを特徴とする請求項１に記載の表示装置。
【請求項３】
前記薄膜トランジスタは、ゲート電極層と、層間絶縁膜と、配線層とが積層された構造を含み、
前記コンデンサの、前記第１の電極は、前記ゲート電極層であり、前記絶縁膜は、前記層間絶縁膜であり、前記第２の電極は、前記配線層であることを特徴とする請求項１に記載の表示装置。
【請求項４】
前記画素は、有機ＥＬ素子を含むことを特徴とする請求項１乃至３のいずれか一項に記載の表示装置。
【請求項５】
前記コンデンサと重畳する位置にバンク層が配置されることを特徴とする請求項４に記載の表示装置。
【請求項６】
前記画素は、液晶層を含むことを特徴とする請求項１乃至３のいずれか一項に記載の表示装置。
【請求項７】
基板と、
前記基板上に形成され、薄膜トランジスタと容量とを備えた画素と、
前記基板上に形成され、前記基板から外側へ突出する凸部と、を有し、
前記容量は、前記凸部に沿って配置されていること
を特徴とする表示装置。
【請求項８】
前記容量は、
前記凸部上に配置された第１の電極と、
前記第１の電極上に配置された絶縁膜と、
前記絶縁膜上に配置された第２の電極と、を有することを特徴とする請求項７に記載の表示装置。
【請求項９】
前記薄膜トランジスタは、半導体層とゲート絶縁膜とゲート電極とを有し、
前記ゲート絶縁膜は前記凸部を覆って配置され、
前記第１の電極は前記半導体層と同層であり、
前記絶縁膜は前記ゲート絶縁膜であり、
前記第２の電極は前記ゲート電極と同層であることを特徴とする請求項８に記載の表示装置。
【請求項１０】
前記凸部は斜面を有し、
前記斜面上の前記ゲート絶縁膜の膜厚は、前記凸部以外の領域の前記ゲート絶縁膜の膜厚よりも、小さいことを特徴とする請求項８又は請求項９に記載の表示装置。
【請求項１１】
前記薄膜トランジスタは、半導体層と、ゲート電極と、前記ゲート電極上に配置された層間絶縁膜と、前記半導体層と接触すると共に少なくとも一部が前記層間絶縁膜上に位置する電極、とを有し、
前記層間絶縁膜は前記凸部を覆って配置され、
前記第１の電極は前記ゲート電極と同層であり、
前記絶縁膜は前記層間絶縁膜であり。
前記第２の電極は前記電極と同層であることを特徴とする請求項７に記載の表示装置。
【請求項１２】
前記凸部は斜面を有し、
前記斜面上の前記層間絶縁膜の膜厚は、前記凸部以外の領域の前記層間絶縁膜の膜厚よりも、小さいことを特徴とする請求項１１に記載の表示装置。
【請求項１３】
前記基板と前記薄膜トランジスタとの間には、バリア膜が配置され、
前記凸部は前記バリア膜上に配置されていることを特徴とする請求項７から請求項１２の何れか１項に記載の表示装置。
【請求項１４】
前記基板と前記薄膜トランジスタとの間には、バリア膜が配置され、
前記バリア膜は、前記凸部を覆っていることを特徴とする請求項７から請求項１２の何れか１項に記載の表示装置。
【請求項１５】
前記凸部は、酸化シリコン、窒化シリコン、樹脂材料の何れかを含むことを特徴とする請求項７から請求項１４の何れか１項に記載の表示装置。
【請求項１６】
前記基板上に、前記画素が複数個形成され、
前記複数個の前記画素は、第１の画素と前記第１の画素と隣接する第２の画素とを含み、
前記第１の画素は第１の発光領域を有し、
前記第２の画素は第２の発光領域を有し、
前記第１の発光領域と前記第２の発光領域を露出すると共に、前記第１の発光領域と前記第２の発光領域の境界部に位置するバンクが形成され、
前記第１の画素の前記凸部は、前記バンクと重畳する位置に配置されていることを特徴とする請求項７から請求項１５の何れか１項に記載の表示装置。
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
第１基板と、
前記第１基板に対向配置された第２基板と、
前記第１基板と前記第２基板とを貼り合わせるシール材と、
前記第１基板と前記第２基板とにより挟持された液晶層と、
を含み、
前記第１基板は、
表示領域に設けられた画素電極と、
平面視で前記表示領域と前記シール材との間に設けられた第１周辺電極と、
平面視で前記第１周辺電極と前記シール材との間に設けられた第２周辺電極と、
を含み、
前記第２基板は、
前記画素電極、前記第１周辺電極、及び前記第２周辺電極と対向するように設けられた対向電極を含み、
前記対向電極に定電位を印加し、
前記第１周辺電極に交流電位を印加し、
前記第２周辺電極に前記対向電極と異なる定電位を印加することを特徴とする液晶装置。
【請求項２】
第１基板と、
前記第１基板に対向配置された第２基板と、
前記第１基板と前記第２基板とを貼り合わせるシール材と、
前記第１基板と前記第２基板とにより挟持された液晶層と、
を含み、
前記第１基板は、
表示領域に設けられた画素電極と、
平面視で前記表示領域と前記シール材との間に設けられた第１周辺電極と、
平面視で前記第１周辺電極と前記シール材との間に設けられた第２周辺電極と、
を含み、
前記第２基板は、
前記画素電極、前記第１周辺電極、及び前記第２周辺電極と対向するように設けられた対向電極を含み、
前記対向電極に交流電位を印加し、
前記第１周辺電極に定電位を印加し、
前記第２周辺電極に、前記対向電極に印加される電位と異なる電位で、前記対向電極との電位差が略同一の交流電位を印加することを特徴とする液晶装置。
【請求項３】
請求項１又は請求項２に記載の液晶装置であって、
前記第２周辺電極は、前記対向電極に対して高電位が印加される第２高電位周辺電極と、前記対向電極に対して低電位が印加される第２低電位周辺電極と、を有することを特徴とする液晶装置。
【請求項４】
請求項３に記載の液晶装置であって、
前記第２高電位周辺電極と前記第２低電位周辺電極との間に、前記第１周辺電極と電気的に接続された第３周辺電極を含むことを特徴とする液晶装置。
【請求項５】
請求項１乃至請求項４のいずれか一項に記載の液晶装置であって、
前記第２周辺電極と前記対向電極との電位差の絶対値は、前記第１周辺電極と前記対向電極との電位差の絶対値より小さいことを特徴とする液晶装置。
【請求項６】
請求項１乃至請求項５のいずれか一項に記載の液晶装置を備えることを特徴とする電子機器。
【手続補正２】
【補正対象書類名】明細書
【補正対象項目名】０１１７
【補正方法】変更
【補正の内容】
【０１１７】
（変形例５）
上記したように、第１周辺電極４０に交流電圧を印加し、第２周辺電極５０に定電位を印加することに限定されず、例えば、対向電極３１の電位を所定の周期で変動させることにより、第１周辺電極４０に対向電極３１の電位に対して所定の周期で変わる電位を印加し、第２周辺電極５０に対向電極３１に印加される電位と異なる電位であり対向電極３１との電位差が略同一の電位を印加するようにしてもよい。これにより、第１実施形態と同様の効果を得ることができると共に、いわゆるコモン振り駆動に適用することができる。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
レーザ素子と、
前記レーザ素子からのレーザ光の波長を変換して出射する波長変換素子と、
を有するレーザ光源装置において、
前記レーザ素子の駆動を制御する制御手段と、
前記波長変換素子からの出射光を検出する検出手段と、を備え、
前記制御手段は、前記レーザ素子の発振状態を切り換える発振状態切り換え手段を含み、
前記発振状態切り換え手段は、前記レーザ素子の発振状態をパルス発振と連続発振に切り換えるものであり、
前記検出手段は、ひとつの検出素子によって、前記レーザ素子がパルス発振状態である場合には、前記レーザ光の変換波を検出し、前記レーザ素子が連続発振状態である場合には、前記レーザ光の基本波を検出し、
前記制御手段は、前記検出手段からの前記基本波の検出情報および前記変換波の検出情報に基づいて、前記レーザ素子の駆動を制御する、ことを特徴とするレーザ光源装置。
【請求項２】
前記ひとつの検出素子は、基本波の波長のみを透過するフィルタを有する基本波検出部と、
変換波の波長のみを透過するフィルタを有する変換波検出部とを有する
ことを特徴とする請求項１に記載のレーザ光源装置。
【請求項３】
請求項１または請求項２に記載のレーザ光源装置と、
前記レーザ光源装置を制御する制御手段と、
前記レーザ光源装置からのレーザ光を水平または垂直に走査する走査手段と、
前記レーザ光のうち、前記走査手段による走査角の最大走査角に対する比が、所定の割合以上となる光を遮蔽する遮蔽部と、を備え、
前記制御手段は、水平走査期間に前記レーザ光源装置からの前記変換波を検出し、
垂直走査期間に前記レーザ光源装置からの基本波を検出するように制御することを特徴とするレーザ・プロジェクタ。
【請求項４】
前記制御手段は、前記水平走査期間の中で、前記レーザ光が前記遮蔽部で遮蔽されている間に前記変換波の検出を行うことを特徴とする請求項３に記載のレーザ・プロジェクタ。
【手続補正２】
【補正対象書類名】明細書
【補正対象項目名】００１０
【補正方法】変更
【補正の内容】
【００１０】
本発明のレーザ光源装置は、レーザ素子と、レーザ素子からのレーザ光の波長を変換して出射する波長変換素子と、を有するレーザ光源装置において、レーザ素子の駆動を制御する制御手段と、波長変換素子からの出射光を検出する検出手段と、を備え、制御手段は、レーザ素子の発振状態を切り換える発振状態切り換え手段を含み、発振状態切り換え手段は、レーザ素子の発振状態をパルス発振と連続発振に切り換えるものであり、検出手段は、ひとつの検出素子によって、レーザ素子がパルス発振状態である場合には、レーザ光の変換波を検出し、レーザ素子が連続発振状態である場合には、レーザ光の基本波を検出し、制御手段は、検出手段からの基本波の検出情報および変換波の検出情報に基づいて、レーザ素子の駆動を制御する、ことを特徴とする。
【手続補正３】
【補正対象書類名】明細書
【補正対象項目名】００１１
【補正方法】変更
【補正の内容】
【００１１】
また、検出手段は、ひとつの検出素子によって、基本波の波長のみを透過するフィルタを有する基本波検出部と、変換波の波長のみを透過するフィルタを有する変換波検出部とを有することを特徴とする。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
基板を移動させるためのステージ装置であって、
第１方向に沿って延びた案内部材を有するステージ定盤と、
前記案内部材に沿って移動可能な第１ステージと、
前記第１ステージにより非接触に支持され、前記第１ステージの上を前記第１方向に沿って移動可能な第２ステージと、
前記ステージ定盤により支持された固定子と、
前記固定子との相互作用により、前記第１ステージを前記第１方向に駆動するように前記第１ステージに固定された第１可動子と、
前記固定子との相互作用により、前記第２ステージを前記第１方向に駆動するように前記第２ステージに固定された第２可動子と、
を含むことを特徴とするステージ装置。
【請求項２】
前記固定子における前記第１可動子を移動させるために機能する部分と、前記固定子における前記第２可動子を移動させるために機能する部分とが共通している、ことを特徴とする請求項１に記載のステージ装置。
【請求項３】
前記固定子は、前記第１可動子を移動させるための第１固定子と、前記第２可動子を移動させるための第２固定子とを含む、ことを特徴とする請求項１に記載のステージ装置。
【請求項４】
前記第２ステージは、前記第１ステージによりエアベアリングを介して支持されている、ことを特徴とする請求項１乃至３のうちいずれか１項に記載のステージ装置。
【請求項５】
前記第２ステージの前記第１方向へのストロークの長さは、前記第１ステージの前記第１方向へのストロークの長さより短い、ことを特徴とする請求項１乃至４のうちいずれか１項に記載のステージ装置。
【請求項６】
前記第１ステージと前記第２ステージとの間に、前記第２ステージのヨーイングを抑制するための抑制部を更に含み、
前記抑制部は、前記第１ステージおよび前記第２ステージのうちいずれか一方により支持され、前記第１方向に沿って延びた軸部材と、前記第１ステージおよび前記第２ステージのうち他方により支持され、前記軸部材を挟み込むように配置された少なくとも２つのエアベアリングとを含む、ことを特徴とする請求項１乃至５のうちいずれか１項に記載のステージ装置。
【請求項７】
前記基板を保持する基板保持部を更に含み、
前記基板保持部は、前記第２ステージによりエアベアリングを介して非接触に支持され、前記第１方向と異なる第２方向に移動可能である、ことを特徴とする請求項１乃至６のうちいずれか１項に記載のステージ装置。
【請求項８】
前記基板保持部と前記第２ステージとの間に、前記基板保持部のヨーイングを抑制するための第２抑制部を更に含み、
前記第２抑制部は、前記基板保持部および前記第２ステージのうちいずれか一方により支持され、前記第２方向に沿って延びた第２軸部材と、前記基板保持部および前記第２ステージのうち他方により支持され、前記第２軸部材を挟み込むように配置された少なくとも２つのエアベアリングとを含む、ことを特徴とする請求項７に記載のステージ装置。
【請求項９】
前記固定子と前記第１可動子との相互作用による前記第１ステージの駆動と、前記固定子と前記第２可動子との相互作用による前記第２ステージの駆動とを制御する制御部を更に含み、
前記制御部は、前記第２ステージを移動させているときは、前記第１ステージを移動させないように前記第１ステージの駆動および前記第２ステージの駆動を制御する、ことを特徴とする請求項１乃至８のうちいずれか１項に記載のステージ装置。
【請求項１０】
前記固定子と前記第１可動子、および前記固定子と前記第２可動子は、それぞれリニアモータを構成していることを特徴とする請求項１乃至９のうちいずれか１項に記載のステージ装置。
【請求項１１】
前記第１ステージの前記案内部材に沿った移動を案内する接触式の案内機構を備えることを特徴とする請求項１乃至１０のうちいずれか１項に記載のステージ装置。
【請求項１２】
基板を露光する露光装置であって、
前記露光装置は、請求項１乃至１１のうちいずれか１項に記載のステージ装置を含み、
前記基板は、前記ステージ装置によって保持されることを特徴とする露光装置。
【請求項１３】
請求項１２に記載の露光装置を用いて基板を露光するステップと、
前記ステップで露光された前記基板を現像するステップと、
を有することを特徴とする物品の製造方法。
【手続補正２】
【補正対象書類名】明細書
【補正対象項目名】０００７
【補正方法】変更
【補正の内容】
【０００７】
そこで、本発明は、ステージ装置を大型化および長ストローク化する上で有利な技術を提供することを目的とする。
【手続補正３】
【補正対象書類名】明細書
【補正対象項目名】０００８
【補正方法】変更
【補正の内容】
【０００８】
上記目的を達成するために、本発明の一側面としてのステージ装置は、基板を移動させるためのステージ装置であって、第１方向に沿って延びた案内部材を有するステージ定盤と、前記案内部材に沿って移動可能な第１ステージと、前記第１ステージにより非接触に支持され、前記第１ステージの上を前記第１方向に沿って移動可能な第２ステージと、  前記ステージ定盤により支持された固定子と、前記固定子との相互作用により、前記第１ステージを前記第１方向に駆動するように前記第１ステージに固定された第１可動子と、前記固定子との相互作用により、前記第２ステージを前記第１方向に駆動するように前記第２ステージに固定された第２可動子と、を含むことを特徴とする。
【手続補正４】
【補正対象書類名】明細書
【補正対象項目名】０００９
【補正方法】変更
【補正の内容】
【０００９】
本発明によれば、ステージ装置を大型化および長ストローク化する上で有利な技術を提供することを目的とする。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
トナー像を保持する像保持体と、
前記像保持体上に、互いに異なる色の複数の単色トナーそれぞれを用いた複数の単色トナー像を順次重ね合わせることにより、該像保持体上に複数色の単色トナーによる複数色トナー像を保持させる像形成部と、
前記像保持体上に保持された複数色トナー像を用紙上に転写する転写部と、
前記転写部により用紙上に転写された複数色トナー像を該用紙上に定着する定着部とを備え、
前記像形成部は、前記像保持体上に、前記複数の単色トナー像相互に跨る互いに対応する画素内を複数の領域に分けたときの互いに異なる領域に互いに異なる色の単色トナーが配置されるように画素内の単色トナーの配置領域が調整された単色トナー像を形成するものであることを特徴とする画像形成装置。
【請求項２】
前記像形成部は、前記複数の単色トナー像相互に跨る互いに対応する画素の、該複数の単色トナー像に渡る単色トナーの量の合計値があらかじめ定められた閾値を超える画素について該画素内の単色トナーどうしの重なりを避けるように該画素内の単色トナーの配置領域が調整された単色トナー像を形成するものであることを特徴とする画像形成装置。
【手続補正２】
【補正対象書類名】明細書
【補正対象項目名】０００５
【補正方法】変更
【補正の内容】
【０００５】
請求項１は、
トナー像を保持する像保持体と、
上記像保持体上に、互いに異なる色の複数の単色トナーそれぞれを用いた複数の単色トナー像を順次重ね合わせることにより、該像保持体上に複数色の単色トナーによる複数色トナー像を保持させる像形成部と、
上記像保持体上に保持された複数色トナー像を用紙上に転写する転写部と、
上記転写部により用紙上に転写された複数色トナー像を該用紙上に定着する定着部とを備え、
上記像形成部は、上記像保持体上に、上記複数の単色トナー像相互に跨る互いに対応する画素内を複数の領域に分けたときの互いに異なる領域に互いに異なる色の単色トナーが配置されるように画素内の単色トナーの配置領域が調整された単色トナー像を形成するものであることを特徴とする画像形成装置である。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
複数の走査線と、複数の映像信号線とが形成された第１基板と、
第２基板とを有し、
前記第１基板と前記第２基板との間に複数のスペーサが設けられた液晶表示装置であって、
前記複数の映像信号線は、前記走査線のうちの第1の走査線と第２の走査線との間では、第２の走査線に対して第１の角度をもって延在し、
前記複数の映像信号線は、前記走査線のうちの前記第２の走査線と第３の走査線との間では、第２の走査線に対して第２の角度をもって延在し、
前記複数のスペーサのうち、第１のスペーサは前記第１の走査線と前記複数の映像線のうちの第１の映像信号線との交差部に配置され、
前記複数のスペーサのうち、第２のスペーサは前記第２の走査線と前記第１の映像信号線との交差部に配置され、
前記複数のスペーサのうち、第３のスペーサは前記第３の走査線と前記第１の映像信号線との交差部に配置され、
前記第１の映像信号線は、青を表示するサブピクセルと赤を表示するサブピクセルとの間に設けられていることを特徴とする液晶表示装置。
【請求項２】
前記第２のスペーサは、前記第２の走査線と前記第１の映像信号線との交点よりも、前記青を表示するサブピクセル側の位置に位置するように配置されていることを特徴とする請求項１に記載の液晶表示装置。
【請求項３】
前記第１のスペーサと前記第２のスペーサとはメインのスペーサであり、
前記第２のスペーサはサブのスペーサであることを特徴とする請求項１乃至３の何れかに記載の液晶表示装置。
【請求項４】
前記第１基板には配向膜が設けられており、
前記配向膜は、前記第１のスペーサの中心と前記第２のスペーサの中心とを結ぶ直線の方向に配向処理されていることを特徴とする請求項１乃至３の何れかに記載の液晶表示装置。 
【請求項５】
前記第２のスペーサは、前記直線上に設けられていることを特徴とする請求項４に記載の液晶表示装置。
【請求項６】
複数の走査線と、複数の映像信号線とが形成された第１基板と、
第２基板とを有し、
前記第１基板と前記第２基板との間に複数のスペーサが設けられた液晶表示装置であって、
前記複数の映像信号線は、前記走査線のうちの第1の走査線と第２の走査線との間では、第２の走査線に対して第１の角度をもって延在し、
前記複数の映像信号線は、前記走査線のうちの前記第２の走査線と第３の走査線との間では、第２の走査線に対して第２の角度をもって延在し、
前記複数のスペーサのうち、第１のスペーサは前記第１の走査線と前記複数の映像線のうちの第１の映像信号線との交差部に配置され、
前記複数のスペーサのうち、第２のスペーサは前記第２の走査線と前記複数の映像線のうちの第２の映像信号線との交差部に配置され、
前記第１の映像信号線は、青を表示するサブピクセルと赤を表示するサブピクセルとの間に設けられており、
前記第１の映像信号線は、緑を表示するサブピクセルと青を表示するサブピクセルとの間に設けられていることを特徴とする液晶表示装置。
【請求項７】
前記複数のスペーサのうち、第３のスペーサが前記第３の走査線と前記第１の映像信号線との交差部に配置されていることを特徴とする請求項６に記載の液晶表示装置。
【請求項８】
前記第２のスペーサは、前記第２の走査線と前記第１の映像信号線との交点よりも、前記青を表示するサブピクセル側の位置に位置するように配置されていることを特徴とする請求項６又は７に記載の液晶表示装置。  
【請求項９】
前記第１のスペーサはメインのスペーサであり、
前記第２のスペーサはサブのスペーサである、ことを特徴とする請求項６乃至８の何れかに記載の液晶表示装置。  
【請求項１０】
前記第１基板には配向膜が設けられており、
前記配向膜は、前記第１のスペーサの中心と前記第３のスペーサの中心とを結ぶ直線の方向に配向処理されていることを特徴とする請求項７に記載の液晶表示装置。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
発音すべき楽音の音高夫々に対応して設けられた複数の鍵と、
前記鍵夫々の上面に設けられ、当該鍵の上面に対するタッチ操作を検出する複数のタッチスイッチと、
前記複数のタッチスイッチのいずれかでタッチ操作が検出された場合、当該タッチ操作の検出されたタッチスイッチに対応する第１の信号を第１の出力端子に出力するとともに、前記複数の鍵のいずれかで押鍵操作が検出された場合、当該押鍵操作された鍵に対応する第２の信号を第２の出力端子に出力する音源制御回路と、
を備えた楽音発生指示装置。
【請求項２】
前記音源制御回路は、前記押鍵操作に応答して、前記押鍵操作された鍵に対応する音高の楽音信号を、前記第２の信号として生成する請求項１記載の楽音発生指示装置。
【請求項３】
前記音源制御回路は、前記タッチ操作に応答して、前記タッチ操作された鍵に対応する音高の楽音信号を、前記第１の信号として生成する請求項１または２記載の楽音発生指示装置。
【請求項４】
前記第１の出力端子にはヘッドフォンが接続されるとともに、前記第２の出力端子には、スピーカが接続されている請求項３記載の楽音発生指示装置。
【請求項５】
前記第１の出力端子に表示部が接続され、前記音源制御回路は、前記第１の信号として、前記タッチ操作された鍵に対応する音高の音符を前記表示部に表示させる信号を前記第１の出力端子に出力する請求項１記載の楽音発生指示装置。
【請求項６】
前記第１の出力端子には夫々対応する鍵を点灯させる点灯回路が接続され、前記音源制御回路は、前記第１の信号として、前記点灯回路により前記タッチ操作された鍵を点灯させる信号を前記第１の出力端子に出力する請求項１記載の楽音発生指示装置。
【請求項７】
前記第１の出力端子には夫々対応する鍵を振動する振動回路が接続され、前記音源制御回路は、前記第１の信号として、前記振動回路により前記タッチ操作された鍵を振動させる信号を前記第１の出力端子に出力する請求項１記載の楽音発生指示装置。
【請求項８】
発音すべき楽音の音高夫々に対応して設けられた複数の鍵と、前記鍵夫々の上面に設けられ、当該鍵の上面に対するタッチ操作を検出する複数のタッチスイッチと、音源制御回路と、を有する楽音発生指示装置に用いられる楽音発生指示方法であって、前記音源制御回路が、
前記複数のタッチスイッチのいずれかでタッチ操作が検出された場合、当該タッチ操作の検出されたタッチスイッチに対応する第１の信号を第１の出力端子に出力し、
前記複数の鍵のいずれかで押鍵操作が検出された場合、当該押鍵操作された鍵に対応する第２の信号を第２の出力端子に出力する、楽音発生指示方法。
【請求項９】
発音すべき楽音の音高夫々に対応して設けられた複数の鍵と、前記鍵夫々の上面に設けられ、当該鍵の上面に対するタッチ操作を検出する複数のタッチスイッチとを有する楽音発生指示装置として用いられるコンピュータに、
前記複数のタッチスイッチのいずれかでタッチ操作が検出された場合、当該タッチ操作の検出されたタッチスイッチに対応する第１の信号を第１の出力端子に出力するステップと、
前記複数の鍵のいずれかで押鍵操作が検出された場合、当該押鍵操作された鍵に対応する第２の信号を第２の出力端子に出力するステップと、
を実行させるプログラム。
【手続補正２】
【補正対象書類名】明細書
【補正対象項目名】０００８
【補正方法】変更
【補正の内容】
【０００８】
上記目的を達成するため、本発明の一態様の楽音発生指示装置は、
発音すべき楽音の音高夫々に対応して設けられた複数の鍵と、
前記鍵夫々の上面に設けられ、当該鍵の上面に対するタッチ操作を検出する複数のタッチスイッチと、
前記複数のタッチスイッチのいずれかでタッチ操作が検出された場合、当該タッチ操作の検出されたタッチスイッチに対応する第１の信号を第１の出力端子に出力するとともに、前記複数の鍵のいずれかで押鍵操作が検出された場合、当該押鍵操作された鍵に対応する第２の信号を第２の出力端子に出力する音源制御回路と、
を備えることを特徴とする。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
店舗の空席状況を提供する空席状況情報提供システムであって，
店舗に関する情報を記憶する店舗情報記憶部と，
ユーザが利用するユーザ端末から，位置情報と時間情報とを含む空席状況情報要求を受け付ける空席状況情報要求受付処理部と，
前記受け付けた空席状況情報要求における位置情報と時間情報とを用いて範囲を特定する範囲特定処理部と，
前記特定した範囲における店舗を特定する店舗特定処理部と，
前記特定した店舗が利用する店舗端末に対して，前記受け付けた空席状況情報要求の一部または全部を通知する空席状況情報通知処理部と，
前記店舗端末から，その店舗の空席状況を示す情報を受け付け，その一部または全部が記載された空席状況情報を前記ユーザ端末に対して通知する空席状況情報回答処理部と，
を有することを特徴とする空席状況情報提供システム。
【請求項２】
前記位置情報は前記ユーザ端末の位置情報であり，前記時間情報は，その時刻からの時間を示す情報であり，
前記範囲特定処理部は，
前記時間情報を用いて移動可能距離を算出し，前記位置情報を中心とした前記移動可能距離の範囲として特定する，
ことを特徴とする請求項１に記載の空席状況情報提供システム。
【請求項３】
前記店舗端末は，
前記空席状況情報要求の通知を受け取ると音を再生するまたは振動をする，
ことを特徴とする請求項１または請求項２に記載の空席状況情報提供システム。
【請求項４】
前記店舗端末から受け付ける前記店舗の空席状況を示す情報には、前記店舗からのメッセージ情報が含まれており，
前記空席状況情報回答処理部は，前記ユーザ端末に対して前記メッセージ情報が含まれた前記空席状況情報を通知する，
ことを特徴とする請求項１〜３のいずれかに記載の空席状況情報提供システム。
【請求項５】
前記空席状況情報通知処理部は、前記空席状況情報要求を受け付けると、該空席状況情報要求をしたユーザに対して該ユーザを特定するユーザ識別情報を自動的に付与し、前記店舗端末に前記ユーザ識別情報を通知する，
ことを特徴とする請求項１〜４のいずれかに記載の空席状況情報提供システム。
【請求項６】
前記ユーザ端末から受け付ける前記空席状況情報要求には、いつまでに前記要求に対する返事が欲しいのかを示した返信希望時刻が含まれており、
前記空席状況情報通知処理部は、前記店舗端末に前記返信希望時刻を通知する，
ことを特徴とする請求項１〜５のいずれかに記載の空席状況情報提供システム。
【請求項７】
前記店舗端末から受け付ける前記店舗の空席状況を示す情報には、返信の有効期限が含まれており，
前記空席状況情報回答処理部は，前記ユーザ端末に対して前記返信の有効期限が含まれた前記空席状況情報を通知する，
ことを特徴とする請求項１〜６のいずれかに記載の空席状況情報提供システム。
【手続補正２】
【補正対象書類名】明細書
【補正対象項目名】００１０
【補正方法】変更
【補正の内容】
【００１０】
第１の発明は，店舗の空席状況を提供する空席状況情報提供システムであって，店舗に関する情報を記憶する店舗情報記憶部と，ユーザが利用するユーザ端末から，位置情報と時間情報とを含む空席状況情報要求を受け付ける空席状況情報要求受付処理部と，前記受け付けた空席状況情報要求における位置情報と時間情報とを用いて範囲を特定する範囲特定処理部と，前記特定した範囲における店舗を特定する店舗特定処理部と，前記特定した店舗が利用する店舗端末に対して，前記受け付けた空席状況情報要求の一部または全部を通知する空席状況情報通知処理部と，前記店舗端末から，その店舗の空席状況を示す情報を受け付け，その一部または全部が記載された空席状況情報を前記ユーザ端末に対して通知する空席状況情報回答処理部と，を有することを特徴とする空席状況情報提供システムである。
【手続補正３】
【補正対象書類名】明細書
【補正対象項目名】００１７
【補正方法】変更
【補正の内容】
【００１７】
また、上述の発明において、前記店舗端末から受け付ける前記店舗の空席状況を示す情報には、前記店舗からのメッセージ情報が含まれており，前記空席状況情報回答処理部は，前記ユーザ端末に対して前記メッセージ情報が含まれた前記空席状況情報を通知する，空席状況情報提供システムのように構成することもできる。
【手続補正４】
【補正対象書類名】明細書
【補正対象項目名】００１８
【補正方法】変更
【補正の内容】
【００１８】
また、上述の発明において、前記空席状況情報通知処理部は、前記空席状況情報要求を受け付けると、該空席状況情報要求をしたユーザに対して該ユーザを特定するユーザ識別情報を自動的に付与し、前記店舗端末に前記ユーザ識別情報を通知する，空席状況情報提供システムのように構成することもできる。
【手続補正５】
【補正対象書類名】明細書
【補正対象項目名】００１９
【補正方法】変更
【補正の内容】
【００１９】
また、上述の発明において、前記ユーザ端末から受け付ける前記空席状況情報要求には、いつまでに前記要求に対する返事が欲しいのかを示した返信希望時刻が含まれており、前記空席状況情報通知処理部は、前記店舗端末に前記返信希望時刻を通知する，空席状況情報提供システムのように構成することもできる。
【手続補正６】
【補正対象書類名】明細書
【補正対象項目名】００２０
【補正方法】変更
【補正の内容】
【００２０】
上述の発明において，前記店舗端末から受け付ける前記店舗の空席状況を示す情報には、返信の有効期限が含まれており，前記空席状況情報回答処理部は，前記ユーザ端末に対して前記返信の有効期限が含まれた前記空席状況情報を通知する，空席状況情報提供システムのように構成することもできる。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
携帯端末からネットワークを介してソーシャルネットワーキングサービス（ＳＮＳ）の指定を受付けるＳＮＳ指定手段と、
前記ＳＮＳ指定手段で指定されたＳＮＳのサーバ装置にアクセスし、前記指定されたＳＮＳの前記携帯端末のユーザ及び前記携帯端末のユーザに関係付けられた他のユーザのアカウント情報を取得するアカウント取得手段と、
視聴対象となるイベントの指定を受付けるイベント指定手段と、
前記指定されたイベントに対する複数の選択肢を前記携帯端末に選択可能に表示させる表示手段と、
前記携帯端末で選択された選択肢を、前記アカウント取得手段で取得したユーザ及び前記他のユーザのアカウント情報に基づいて、前記選択されたイベントに対する選択肢の集計結果に含めて集計する集計手段と、
前記集計した集計結果を前記携帯端末に配信する配信手段と
を具備するサーバ装置。
【請求項２】
前記集計結果は、前記選択された選択肢に応じて色分けしたグラフ画像を含む、
請求項１記載のサーバ装置。
【請求項３】
前記アカウント取得手段は、前記指定されたＳＮＳのサーバ装置から、前記ユーザ及び前記他のユーザのアバター画像を含むアカウント情報を取得し、
前記配信手段は、前記ユーザ及び前記他のユーザのアバター画像の少なくとも一部を合成した集計結果を前記携帯端末に配信する、
請求項１記載のサーバ装置。
【請求項４】
前記アカウント取得手段は、前記指定されたＳＮＳのサーバ装置から、前記他のユーザの優先度情報を含むアカウント情報を取得し、
前記配信手段は、前記他のユーザの優先度情報に基づいて、前記集計結果に含まれる前記他のユーザを決定する、
請求項３記載のサーバ装置。
【請求項５】
前記集計手段は、前記ユーザによる視聴対象のイベントの指定前は、すでにアカウント情報が取得された全ユーザの選択肢を集計結果として集計する、請求項１記載のサーバ装置。
【請求項６】
前記他のユーザのアカウント情報は、前記他のユーザの選択した選択肢を示す情報及び前記他のユーザが視聴対象したイベントの情報に関連付けられている、請求項１記載のサーバ装置。
【請求項７】
前記受付けられた視聴対象となるイベントを視聴対象としている前記他のユーザの情報を通知する通知手段をさらに具備する、請求項１記載のサーバ装置。
【請求項８】
前記通知手段が実行可能に設定されていない場合、前記受付けられた視聴対象となるイベントを視聴対象としている前記他のユーザの情報が表示可能となる旨を示す表示情報を前記携帯端末に表示させる手段をさらに具備する、請求項７記載のサーバ装置。
【請求項９】
携帯端末からネットワークを介してソーシャルネットワーキングサービス（ＳＮＳ）の指定を受付け、
前記指定されたＳＮＳのサーバ装置にアクセスし、前記指定されたＳＮＳの前記携帯端末のユーザ及び前記携帯端末のユーザに関係付けられた他のユーザのアカウント情報を取得し、
視聴対象となるイベントの指定を受付け、
前記指定されたイベントに対する複数の選択肢を前記携帯端末に選択可能に表示させ、
前記携帯端末で選択された選択肢を、前記取得したユーザ及び前記他のユーザのアカウント情報に基づいて、前記選択されたイベントに対する選択肢の集計結果に含めて集計し、
前記集計した集計結果を前記携帯端末に配信する、
イベント運営方法。
【請求項１０】
サーバ装置に、
携帯端末からネットワークを介してソーシャルネットワーキングサービス（ＳＮＳ）の指定を受付けさせ、
前記指定されたＳＮＳのサーバ装置にアクセスし、前記指定されたＳＮＳの前記携帯端末のユーザ及び前記携帯端末のユーザに関係付けられた他のユーザのアカウント情報を取得させ、
視聴対象となるイベントの指定を受付けさせ、
前記指定されたイベントに対する複数の選択肢を前記携帯端末に選択可能に表示させ、
前記携帯端末で選択された選択肢を、前記取得したユーザ及び前記他のユーザのアカウント情報に基づいて、前記選択されたイベントに対する選択肢の集計結果に含めて集計させ、
前記集計した集計結果を前記携帯端末に配信させる、プログラム。
【手続補正２】
【補正対象書類名】明細書
【補正対象項目名】０００９
【補正方法】変更
【補正の内容】
【０００９】
本発明の一態様は、  携帯端末からネットワークを介してソーシャルネットワーキングサービス（ＳＮＳ）の指定を受付けるＳＮＳ指定手段と、前記ＳＮＳ指定手段で指定されたＳＮＳのサーバ装置にアクセスし、前記指定されたＳＮＳの前記携帯端末のユーザ及び前記携帯端末のユーザに関係付けられた他のユーザのアカウント情報を取得するアカウント取得手段と、視聴対象となるイベントの指定を受付けるイベント指定手段と、前記指定されたイベントに対する複数の選択肢を前記携帯端末に選択可能に表示させる表示手段と、前記携帯端末で選択された選択肢を、前記アカウント取得手段で取得したユーザ及び前記他のユーザのアカウント情報に基づいて、前記選択されたイベントに対する選択肢の集計結果に含めて集計する集計手段と、前記集計した集計結果を前記携帯端末に配信する配信手段とを具備するサーバ装置、である。
【手続補正書】
【提出日】平成27年2月9日(2015.2.9)
【手続補正１】
【補正対象書類名】明細書
【補正対象項目名】００１８
【補正方法】変更
【補正の内容】
【００１８】
図６は、横軸を時間軸とし、縦軸をラインセンサー２１２の移動距離とした上で、この移動距離と電解質膜フィルムＭｆのフィルム幅とを対応付けて示している。制御装置４００は、操作装置４２０からの電解質膜フィルムＭｆの設定搬送速度とフィルム幅等の入力を受けた上で、作業者の検査開始の機器操作があると、フィルム搬送速度に適合した走査速度Ｖｓでラインセンサー２１２が移動するよう、駆動機器群２２０のサーボモーター２２４を駆動制御（正転駆動）する。この走査速度Ｖｓは、電解質膜フィルムＭｆのフィルム幅と搬送速度にラインセンサー２１２の既述した分解能（５μｍ／画素）および電解質膜フィルムＭｆに対するラインセンサー２１２の走査軌跡の傾きを加味した上で決定される。具体的には、搬送されつつある電解質膜フィルムＭｆに対してラインセンサー２１２を走査速度Ｖｓで走査させた場合のセンシング信号が、停止した電解質膜フィルムＭｆをフィルム幅方向に直交走査した場合とほぼ等価となるように、走査速度Ｖｓが規定される。このように規定した走査速度Ｖｓでラインセンサー２１２を走査起点端から走査折返端まで斜めに走査することで、図７に示すように、ラインセンサー２１２は、ＣＣＤの並びで規定されるセンシング幅で、斜めに電解質膜フィルムＭｆを短冊状にセンシングして、このセンシング短冊Ｓｔに亘る検出信号を制御装置４００に出力する。制御装置４００は、ラインセンサー２１２が走査折返端まで達すると、駆動機器群２２０のサーボモーター２２４を駆動制御（逆転駆動）し、ラインセンサー２１２を復帰速度Ｖｂで走査起点端に復帰させる。この際の復帰速度Ｖｂは、走査速度Ｖｓを上回る速度とされ、ラインセンサー２１２は、次のセンシングに際して、その直前でのセンシングの際の電解質膜フィルムＭｆのセンシング開始箇所に隣り合う次のセンシング開始箇所から電解質膜フィルムＭｆのセンシングを開始する。制御装置４００は、こうしたラインセンサー２１２の走査駆動と復帰駆動を繰り返すので、図７に示すように、斜めの短冊が繰り返されるようにして、電解質膜フィルムＭｆの性状をラインセンサー２１２からのセンシング信号により解析する。この場合、図７に示す一つの斜めのセンシング短冊Ｓｔは、静止した電解質膜フィルムＭｆをフィルム幅方向に直交して走査した場合のセンシング短冊と等価となる。